(57)【要約】【課題】  酸化防止剤を添加することなしに、酸化安定性に優れた低硫黄軽油組成物を提供すること。【解決手段】  硫黄分の含有量が５０質量ｐｐｍ以下であり、ナフテンベンゼン類とフルオレン類の含有量の和が８．０容量％以下であり、ナフタレン類の含有量が０．５容量％以上３．０容量％以下であり、下記式（Ｉ）で表される酸化安定度指数Ｙが３以下であり、フルオレン類とナフタレン類の含有量の比が１以下である軽油組成物。        Ｙ＝２．９×〔フルオレン類含有量（容量％）〕            ＋０．０１６×〔ナフテンベンゼン類含有量（容量％）〕      式（Ｉ）            −０．７３×〔ナフタレン類含有量（容量％）〕【選択図】  なし【特許請求の範囲】
【請求項１】
硫黄分の含有量が５０質量ｐｐｍ以下であり、ナフテンベンゼン類とフルオレン類の含有量の和が８．０容量％以下であり、ナフタレン類の含有量が０．５容量％以上３．０容量％以下であり、下記式（Ｉ）で表される酸化安定度指数Ｙが３以下であり、フルオレン類とナフタレン類の含有量の比が１以下であることを特徴とする軽油組成物。
Ｙ＝２．９×〔フルオレン類含有量（容量％）〕
＋０．０１６×〔ナフテンベンゼン類含有量（容量％）〕      式（Ｉ）
−０．７３×〔ナフタレン類含有量（容量％）〕
【請求項２】
硫黄分の含有量が１０質量ｐｐｍ以下である請求項１に記載の軽油組成物。
【発明の詳細な説明】
【技術分野】
【０００１】
本発明は、軽油組成物、特にディーゼル自動車用の燃料油に用いる軽油組成物に関し、詳しくは、酸化安定性に優れる低硫黄軽油組成物に関する。
【背景技術】
【０００２】
ディーゼル車から排出されるＮＯｘや粒子状物質を低減することは社会的要請であり、ディーゼル車用燃料油に用いる軽油には、粒子状物質の一成分であるサルフェートを低減し、かつ排出ガスの後処理装置における触媒被毒を抑制し、後処理効率を向上させるために、低硫黄化することが求められている。軽油の低硫黄化の手段としては、軽油留分を水素化脱硫処理することが一般的に挙げられるが、水素化脱硫においては、軽油留分中の硫黄分のみならず、軽油留分中に元々含有されている抗酸化性物質（例えば、アミン類、フェノール類等）も水素化処理される場合もあり、水素化脱硫の進んだ低硫黄軽油では、酸化安定性に劣り、過酸化物が生成する場合があることが知られている（例えば、非特許文献１、非特許文献２参照）。
【０００３】
また、軽油の酸化安定性は、重要な実用性能の一つであり、軽油において、特に酸化安定性の低下した低硫黄化軽油において、過酸化物の生成などを抑制することは重要な課題である。酸化安定性の向上には、酸化防止剤を添加することが有効であるが、酸化防止剤を添加することは経済的に不利である（例えば、非特許文献３参照）。
【０００４】
【非特許文献１】田口裕久、出光技報３９巻２号（１９９６）
【非特許文献２】Ｔ．Ｒｕｓｓｅｌｌ  ａｎｄ  Ｄ．Ｂｒｏｗｎ，Ｗｏｒｌｄ  Ｒｅｆｉｎｉｎｇ，  ｐ．４０，Ａｐｒｉｌ（２０００）
【非特許文献３】Ｋ．Ｏｗｅｎ  ａｎｄ  Ｔ．Ｃｏｌｅｙ，Ａｕｔｏｍｏｔｉｖｅ  Ｆｕｅｌｓ  Ｒｅｆｅｒｅｎｃｅ  Ｂｏｏｋ  ２nd  Ｅｄｉｔｉｏｎ，ｐ．５０４（１９９５）
【発明の開示】
【発明が解決しようとする課題】
【０００５】
本発明は、このような状況下で、酸化防止剤を添加することなしに、酸化安定性に優れた低硫黄軽油組成物を提供することを目的とするものである。
【課題を解決するための手段】
【０００６】
本発明者らは、低硫黄軽油の酸化安定性について鋭意検討した結果、ナフテンベンゼン類とフルオレン類の含有量、及びナフタレン類の含有量が一定範囲であり、且つそれらの含有量がある一定の関係にある場合に酸化安定性に優れることを見出し、本発明を完成するに至った。
【０００７】
すなわち、本発明は、上記目的を達成するために、次の軽油組成物を提供するものである。
（１）硫黄分の含有量が５０質量ｐｐｍ以下であり、ナフテンベンゼン類とフルオレン類の含有量の和が８．０容量％以下であり、ナフタレン類の含有量が０．５容量％以上３．０容量％以下であり、下記式（Ｉ）で表される酸化安定度指数Ｙが３以下であり、フルオレン類とナフタレン類の含有量の比が１以下であることを特徴とする軽油組成物。
Ｙ＝２．９×〔フルオレン類含有量（容量％）〕
＋０．０１６×〔ナフテンベンゼン類含有量（容量％）〕      式（Ｉ）
−０．７３×〔ナフタレン類含有量（容量％）〕
（２）硫黄分の含有量が１０質量ｐｐｍ以下である上記（１）に記載の軽油組成物。
【発明の効果】
【０００８】
本発明によれば、酸化防止剤を添加することなしに、酸化安定性に優れた低硫黄軽油組成物を提供することができる。
【発明を実施するための最良の形態】
【０００９】
以下、本発明の内容を更に詳しく説明する。
本発明の軽油組成物において、硫黄分の含有量は５０質量ｐｐｍ以下であり、好ましくは１０質量ｐｐｍ以下である。硫黄分の含有量が５０質量ｐｐｍ以下であれば、ディーゼルエンジンから排出される粒子状物質の成分であるサルフェートの排出量が少なくなり、更に排ガス後処理装置の性能に悪影響を及ぼすことなく、なお更にはその他の好ましからざる排出ガス成分の増加が抑制される。硫黄分の含有量は、ＪＩＳ  Ｋ  ２５４１の微量電量滴定式酸化法により測定できる。
【００１０】
本発明の軽油組成物においては、ナフテンベンゼン類とフルオレン類の含有量の和が８．０容量％以下であり、好ましくは７．５容量％以下、更に好ましくは７．０容量％以下である。ナフテンベンゼン類とフルオレン類の含有量の和が８．０容量％以下であれば、酸化安定性に優れ、長期保存中に過酸化物などが生成することもない。
ナフテンベンゼン類とは、テトラリン、アルキル基置換テトラリン、インダン、アルキル基置換インダンなどを示す。また、フルオレン類とは、フルオレン、アルキル基置換フルオレンなどを示す。
【００１１】
また、本発明の軽油組成物においては、ナフタレン類の含有量が０．５容量％以上３．０容量％以下であり、好ましくは０．６容量％以上３．０容量％以下である。ナフタレン類の含有量がこの範囲にあれば、酸化安定性に優れ、長期保存中に過酸化物などが生成することもなく、また、ディーゼルエンジンから排出される粒子状物質が少なくなる。
ナフタレン類とは、ナフタレン、アルキル基置換ナフタレンなどを示す。
【００１２】
更に、本発明の軽油組成物においては、上記式（Ｉ）で表される酸化安定度指数Ｙが３以下であり、好ましくは２．８以下である。この酸化安定度指数Ｙは、軽油組成物の酸化反応における酸素消費量の度合いを示すものであり、上記式（Ｉ）中の各係数は、フルオレン類、ナフテンベンゼン類、ナフタレン類の各酸化安定性から算出された値である。
これらの係数の値は、フルオレン類は軽油組成物の酸化安定性に大きく悪影響を与え、ナフテンベンゼン類は軽油組成物の酸化安定性に与える悪影響がフルオレン類よりは軽微であり、ナフタレン類は軽油組成物の酸化安定性の向上に貢献することを示している。例えば、フルオレン類の含有量とナフタレン類の含有量を調整して、酸化安定度指数Ｙが３を超えないようにすることが、酸化安定性に優れ、長期保存しても過酸化物などが生成しない低硫黄軽油組成物を得る上で好ましい。
【００１３】
なお更に、本発明の軽油組成物においては、フルオレン類とナフタレン類の含有量の比、すなわちフルオレン類の含有量／ナフタレン類の含有量比が１以下であり、好ましくは０．９５以下である。この含有量比が１を超えないようにすることが、酸化安定性に優れ、長期保存しても過酸化物などが生成しない低硫黄軽油組成物を得る上で好ましい。
【００１４】
本発明の実施に当たり、ナフテンベンゼン類、フルオレン類、ナフタレン類の含有量は以下の方法により測定できる。すなわち、まず、高速液体クロマトグラフ（ＨＰＬＣ）により軽油組成物を芳香族分と飽和分に分画して各分画物を採取した後、その各分画物を、ガスクロマトグラフ装置（ＧＣ）と質量分析装置（ＭＳ）を複合したガスクロマトグラフ質量分析装置（ＧＣ−ＭＳ）で測定し、飽和分はＡＳＴＭ  Ｄ  ２７８６に従って、芳香族分はＡＳＴＭ  Ｄ  ３２３９に従って解析を行い、各分画物中のタイプ別組成割合を容量％で算出する。次に、軽油組成物中に占める各分画物の割合を、ＪＰＩ−５Ｓ−４９−９７「石油製品−炭化水素タイプ試験方法−高速液体クロマトグラフ法」に基づいて求め、各分画物の割合に、ＧＣ−ＭＳで求めた分画物中のタイプ別組成割合を乗じて、軽油組成物中のナフテンベンゼン類、フルオレン類、ナフタレン類の含有量を求める。
【００１５】
本発明の軽油組成物は、最終的に得られる軽油組成物が上記に規定する特定の性状を有するように、一種又は二種以上の軽油基材を混合して調製できる。
本発明の軽油組成物の調製に用いる軽油基材としては、最終的に得られる軽油組成物が上記に規定する特定の性状を有する限りにおいて、種々の軽油基材を適宜用いることができる。例えば、原油を常圧蒸留して得られる灯油留分や軽油留分、及びそれらを脱硫した脱硫灯油や脱硫軽油を用いることができる。また、直接脱硫装置から得られる直接脱硫軽油、間接脱硫装置から得られる間接脱硫軽油、流動接触分解装置から得られる軽質サイクルオイル、及びそれらを常圧蒸留装置から得られる軽油留分と混合して更に脱硫処理した基材などを用いることができて、通常軽油組成物の基材として使用されるものを適宜用いることができる。その他に、フィッシャートロプシュ合成およびそれに付随する各種二次処理プロセスにより得られる各種炭化水素の軽油相当留分や含酸素化合物などを基材として用いることもできる。また、最終的に得られる軽油組成物が上記に規定する特定の性状を有するようにすることは、用いる軽油基材の硫黄分、ナフテンベンゼン類、フルオレン類、ナフタレン類の各含有量を考慮してその配合割合を選択することによって達成し得る。中でも、脱硫灯油や脱硫軽油を基材として用いることにより本発明の軽油組成物を好適に調製することができる。
【００１６】
また、本発明の軽油組成物には、必要に応じて各種の添加剤を適宜配合することができる。このような添加剤としては、セタン価向上剤、界面活性剤、流動性向上剤、防腐剤、防錆剤、泡消剤、清浄剤、色相改善剤、潤滑性向上剤など公知の燃料添加剤が挙げられる。これらを一種又は二種以上組み合わせて添加することができる。
また、本発明は、酸化防止剤を添加することなしに、酸化安定性に優れた低硫黄軽油組成物を提供するものであるが、本発明に酸化防止剤を添加した場合は更に酸化安定性を向上させることが可能となる。
【実施例】
【００１７】
以下に本発明の内容を実験例及び比較例により更に詳しく説明するが、本発明はこれらによって制限されるものではない。
【００１８】
ここでは、表１に示すような基材を用いて各軽油組成物を調製した。さらに各基材の性状を表２に示した。
【００１９】
【表１】
2006137919.tif 000002
【００２０】
【表２】
2006137919.tif 000003
【００２１】
実施例１
沸点範囲１８２℃〜３６７℃の直留軽油留分を硫黄分１０質量ｐｐｍ以下に脱硫処理し（基材１）、表４に示す軽油組成物を得た。
実施例２
基材１を８０容量％と、沸点範囲１４８℃〜２７１℃の直留灯油を硫黄分１０質量ｐｐｍ以下に脱硫処理した脱硫灯油（基材２）を２０容量％の割合で混合し、表４に示す性状の軽油組成物を得た。
【００２２】
実施例３
沸点範囲１６４℃〜３６５℃の直留軽油留分を硫黄分１０質量ｐｐｍ以下に脱硫処理し（基材３）、表４に示す軽油組成物を得た。
実施例４
沸点範囲１７５℃〜３７２℃の直留軽油留分を硫黄分１０質量ｐｐｍ以下に脱硫処理し（基材４）、表４に示す軽油組成物を得た。
【００２３】
比較例１
基材１を１９．８容量％と、基材２を７９．２容量％の割合で混合したものにフルオレンを１．０容量％添加し、表５に示す性状の軽油組成物を得た。
比較例２
常圧蒸留装置から留出する直留軽油留分に流動接触分解装置から留出する軽質サイクルオイルを６容量％配合し沸点範囲１９３℃〜３６８℃とした軽油留分を、硫黄分５０質量ｐｐｍ以下に脱硫処理し（基材５）、表５に示す軽油組成物を得た。
【００２４】
比較例３
常圧蒸留装置から留出する直留軽油留分に流動接触分解装置から留出する軽質サイクルオイルを６容量％配合し沸点範囲１９３℃〜３６８℃とした軽油留分を硫黄分２０質量ｐｐｍ以下に脱硫処理したもの（基材６）９７．９容量％に、フルオレンを０．５容量％、α−メチルナフタレンを１．６容量％添加し、表５に示す軽油組成物を得た。
比較例４
沸点範囲１６４℃〜３６５℃の直留軽油留分を硫黄分５０質量ｐｐｍ以下に脱硫処理したもの（基材７）９８．８容量％に、フルオレンを０．２容量％、テトラリンを１．０容量％添加し、表５に示す軽油組成物を得た。
【００２５】
上記のように調製した、各軽油組成物の配合割合を表３にまとめた。
【００２６】
【表３】
2006137919.tif 000004
【００２７】
実施例１〜４および比較例１〜４の各軽油組成物について、硫黄分を微量電量滴定式酸化法により測定した。軽油組成物中に占めるナフテンベンゼン類、フルオレン類、ナフタレン類は、以下に示した装置、条件により測定した。
【００２８】
飽和分と芳香族分の割合：
Agilent 1100 Series（ALS:G1329A, Bin Pump: G1312A, Degasser: G1379A, Rid: G1362A, Colcom: G1316A）により、移動相：n−ヘキサン、流量1.0ml/min、カラム：硝酸銀含浸シリカカラム（4.6mml.D.*70mmL. センシュー科学製 AgNO3-1071-Y）、アミン修飾カラム（4.0mml.D.*250mmL. ２本 センシュー科学製 LICHROSORB-NH2）、カラム温度：35℃、試料濃度：10vol.%、注入量5μlの条件で測定した。
【００２９】
芳香族分中のタイプ別組成割合：
試料をHPLCにより飽和分と芳香族分により分画後、芳香族分について、ＨＰ−６８９０
シリーズII  ＨＰ５９７３  四重極質量分析計により、
カラム：DＢ−１：３０ｍ×０．２５ｍｍＩ．Ｄ．×０．２５ｕｍ、
オーブン温度：４０℃（１ｍｉｎ）→１０℃／ｍｉｎ→２８０℃（５ｍｉｎ）、
注入口温度：４３℃  Ｏｖｅｎ track  mode  ON、
インターフェース温度：３００℃、
キャリアーガス：Ｈｅ：５５ＫＰａ  Constant flow mode ＯＮ、
Ｓｏｌｖｅｎｔ Ｄｅｌａｙ：４．５ｍｉｎ、
質量範囲：５０〜５００  Ｔｈｒｅｓｈｏｌｄ＝１００  Ｓａｍｐｌｉｎｇ♯３、
イオン化電圧：７０ｅＶ、
注入方法：オンカラム注入  ３．０ｕｌ、
メソッドファイル：ＴＹＰＥ−ＡＮＡ．Ｍ（芳香族分）、
の条件で測定し、芳香族分中に占めるナフテンベンゼン類、フルオレン類、ナフタレン類の割合を求めた。
【００３０】
軽油組成物中のナフテンベンゼン類、フルオレン類、ナフタレン類の含有量：
軽油組成物中に占める芳香族分の割合に、芳香族分中のタイプ別組成割合を乗じて、軽油組成物中のナフテンベンゼン類、フルオレン類、ナフタレン類の含有量を求めた。
【００３１】
実施例１〜４および比較例１〜４の各軽油組成物について、ＪＩＳ  Ｋ  ２２８７に記載のガソリン酸化安定度試験装置を用いて、軽油組成物５０ｍｌに対して酢酸銅（０．２ｍｇＣｕ／ｍｌ）を２ｍｌ添加したサンプルをボンベに入れ、酸素を６８９〜７０３ｋＰａまで圧入し１００℃で４８時間貯蔵した。ボンベの圧力変化を測定し、４８時間後の圧力降下値を測定した。圧力降下値は貯蔵中に消費された酸素量を示しており、この値が大きいほど酸素がサンプルと反応したことになり、すなわち酸化安定性に劣ることを示す。また、酸化安定性は、軽油組成物に含有する硫黄分、ナフテンベンゼン類、フルオレン類、ナフタレン類と密接な関係がある。過酸化物の生成原因となりやすいナフテンベンゼン類とフルオレン類の含有量とこれら各物質の酸化安定性から算出された酸化安定度係数Ｙ、およびフルオレン類とナフタレン類の含有量の比を本発明のように規定した場合、圧力降下値が５．１×１００ｋＰａ以上になると長期貯蔵中に過酸化物が生成しやすくなる傾向が強くなることを確認している。ナフテンベンゼン類、フルオレン類、ナフタレン類はそれぞれ酸化安定性が異なるため、これらの配合量が特定の関係にある場合、つまり酸化安定度係数Ｙを満足する軽油組成物は酸化安定性が優れたものとなる。また、フルオレン類はナフタレン類に比べて酸化安定性が劣るため、これらが特定の範囲にある場合、軽油組成物は酸化安定性に優れたものとなる。このような酸化安定性に優れる軽油組成物を提供するためには、圧力降下値は５．１×１００ｋＰａ以下であることが好ましい。
実施例の結果を表４に、比較例の結果を表５に示す。
【００３２】
【表４】
2006137919.tif 000005
【００３３】
【表５】
2006137919.tif 000006
【００３４】
表４、５に示す結果から、本発明の範囲外である比較例１〜４の軽油組成物は高い圧力降下値を示しているのに対し、本発明の実施例１〜４の軽油組成物は低い圧力降下値を示しており、酸化安定性に優れていることが分かる。